(57)【要約】【課題】第三者により端末の監視制御を可能とすることにより、過剰な電力消費及び不要な音声出力の防止可能な無線通信監視制御システムを提供する。【解決手段】無線通信機器Ａではマイクを通して音声信号が入力され、当該音声信号を信号送受信部１１を介して無線通信機器Ｂに出力する。制御部２２は、無線通信機器Ｂ側で受信した音声信号の音声レベル及び継続時間の多寡により当該通信機器Ａの電源の消し忘れを判定し、電源の消し忘れが発生していると判定されると、電源の消し忘れを示す制御信号を無線通信機器Ａに対して出力する。無線通信機器Ａの駆動制御部１２ａは、受信した制御信号に基づき無線通信機器Ａの駆動システムを停止する。【選択図】図１
2009049814.tif 000002
【特許請求の範囲】
【請求項１】
信号の授受を行う自無線通信端末と他無線通信端末とを含む通信系を有する無線通信監視制御システムであって、
前記自無線通信端末は、
マイクを通じて音声信号を入力する入力手段と、
前記自無線通信端末の駆動態様を制御する駆動制御手段と、を備え、
前記他無線通信端末は、
前記入力手段を通じて入力された前記音声信号が前記自無線通信端末から送信されると、当該音声信号の信号強度及び継続時間の多寡により当該自無線通信端末の電源の消し忘れを判定する電源監視判定手段と、
前記電源監視判定手段により前記自無線通信端末において電源の消し忘れが発生していると判定される場合に、当該電源の消し忘れを示す制御信号を前記自無線通信端末に送信する送信手段と、を備え、
前記駆動制御手段は、前記送信手段により送信された前記電源の消し忘れを示す制御信号を前記自無線通信端末側で受信すると、前記自無線通信端末の電源を停止することを特徴とする無線通信監視制御システム。
【請求項２】
信号の授受を行う自無線通信端末と他無線通信端末とを含む通信系を有する無線通信監視制御システムであって、
前記自無線通信端末は、
マイクを通じて音声信号を入力する入力手段と、
前記自無線通信端末の駆動態様を制御する駆動制御手段と、
前記入力手段を通じて入力された前記音声信号の信号強度及び継続時間の多寡により前記自無線通信端末の電源の消し忘れを判定する電源監視判定手段と、
前記電源監視判定手段により前記自無線通信端末の電源の消し忘れを判定された場合に、当該電源消し忘れ発生時の信号強度や継続時間を含む状態信号を生成する状態信号生成手段と、
前記状態信号生成手段により生成された前記状態信号を前記他無線通信端末に送信する状態信号送信手段と、を備え、
前記他無線通信端末は、
前記状態信号送信手段により送信された前記状態信号を受信すると、前記状態信号から前記自無線通信端末の電源停止の制御が必要であるかの選択をユーザから受け付けるユーザ選択手段と、
前記ユーザ選択手段を介してユーザにより前記自無線通信端末の電源停止の制御が必要であると選択された場合に、前記自無線通信端末の電源停止を示す制御信号を前記自無線通信端末に送信する送信手段と、を備え、
前記駆動制御手段は、前記送信手段により送信された前記電源停止を示す制御信号を前記自無線通信端末側で受信すると、前記自無線通信端末の電源を停止することを特徴とする無線通信監視制御システム。
【請求項３】
前記電源監視判定手段は、
前記音声信号の信号強度が所定の強度閾値以内であり、かつ、前記音声信号の継続時間が所定の時間閾値以上である場合に、前記自無線通信端末において電源の消し忘れが発生していると判定することを特徴とする請求項１又は２に記載の無線通信監視制御システム。
【請求項４】
前記自無線通信端末は、
表示部と、
前記送信手段により送信された前記制御信号を前記自無線通信端末側で受信した場合に、警告データを前記表示部に表示する警告データ表示手段と、
を備えることを特徴とする請求項１〜３のいずれか１項に記載に無線通信監視制御システム。
【請求項５】
信号の授受を行う自無線通信端末と他無線通信端末とを含む通信系を有する無線通信監視制御方法であって、
前記自無線通信端末は、
前記自無線通信端末の駆動態様を制御する駆動制御ステップを実行し、
前記他無線通信端末は、
前記自無線通信端末にマイクを通じて音声信号が入力され、前記音声信号が前記自無線通信端末から送信されると、当該音声信号の信号強度及び継続時間の多寡により当該自無線通信端末の電源の消し忘れを判定する電源監視判定ステップと、
前記電源監視判定ステップにより前記自無線通信端末において電源の消し忘れが発生していると判定される場合に、当該電源の消し忘れを示す制御信号を前記自無線通信端末に送信する送信ステップと、を実行し、
前記駆動制御ステップは、前記送信ステップにより送信された前記電源の消し忘れを示す制御信号を前記自無線通信端末側で受信すると、前記自無線通信端末の電源を停止することを特徴とする無線通信監視制御方法。
【請求項６】
信号の授受を行う自無線通信端末と他無線通信端末とを含む通信系を有する無線通信監視制御方法であって、
前記自無線通信端末は、
前記自無線通信端末の駆動態様を制御する駆動制御ステップと、
前記自無線通信端末にマイクを通じて音声信号が入力されと、当該音声信号の信号強度及び継続時間の多寡により前記自無線通信端末の電源の消し忘れを判定する電源監視判定ステップと、
前記電源監視判定ステップにより前記自無線通信端末の電源の消し忘れを判定された場合に、当該電源消し忘れ発生時の信号強度や継続時間を含む状態信号を生成する状態信号生成ステップと、
前記状態信号生成ステップにより生成された前記状態信号を前記他無線通信端末に送信する状態信号送信ステップと、を実行し、
前記他無線通信端末は、
前記状態信号送信ステップにより送信された前記状態信号を受信すると、前記状態信号から前記自無線通信端末の電源停止の制御が必要であるかの選択をユーザから受け付け、
ユーザにより前記自無線通信端末の電源停止の制御が必要であると選択された場合に、前記自無線通信端末の電源停止を示す制御信号を前記自無線通信端末に送信する送信ステップを実行し、
前記駆動制御手段は、前記送信手段により送信された前記電源停止を示す制御信号を前記自無線通信端末側で受信すると、前記自無線通信端末の電源を停止することを特徴とする無線通信監視制御方法。
【請求項７】
前記電源監視判定ステップは、
前記音声信号の信号強度が所定の強度閾値以内であり、かつ、前記音声信号の継続時間が所定の時間閾値以上である場合に、前記自無線通信端末において電源の消し忘れが発生していると判定することを特徴とする請求項５又は６に記載の無線通信監視制御方法。
【請求項８】
前記自無線通信端末は、
表示部を備え、
前記送信ステップにより送信された前記制御信号を前記自無線通信端末側で受信した場合に、警告データを前記表示部に表示する警告データ表示ステップを実行することを特徴とする請求項５〜７のいずれか１項に記載に無線通信監視制御方法。
【発明の詳細な説明】
【技術分野】
【０００１】
本発明は、信号を授受する通信端末間において、通信対象となる通信端末の監視及び制御を行う無線通信監視制御システムに関する。
【背景技術】
【０００２】
近年、携帯電話機、スタジオ等の各種会場をはじめとする様々な分野において、無線方式の通信システムが広く普及している。この通信システムを構成する無線通信端末は、一般的に、アンテナ、変調器等を備えた送受信機や、ＣＰＵからなる制御部などから構成されている。
【０００３】
従来の無線通信端末間の通信システムでは、無線通信端末の操作は、この端末の所有者のみが行い、他の端末からの操作及び監視制御が行えるシステムは構築されていなかった。つまり、このような通信システムでは、各端末の所有者が例えば電源のＯＮ／ＯＦＦや通信態様の設定等を監視し、第三者からの情報を受け付けることなく端末ごとに制御する形式が通常であった。
【０００４】
例えば、このような通信システムでは、送信部を有する端末において、当該端末の出力制御は、他の端末の受信部にて受信する通信信号を基準に判断するのではなく、送信した側の端末において入力される信号を検知し、その信号に基づいて出力態様を制御する方式が提案されている（特許文献１参照）。
【特許文献１】特開２００６−２７９４４４号公報
【発明の開示】
【発明が解決しようとする課題】
【０００５】
ところで、従来の無線通信端末における通信システムでは、上記のように各端末の所有者の操作に基づいて電源のＯＮ／ＯＦＦや各種設定条件が制御されるので、この所有者が例えば電源等を消し忘れた場合には不必要な状況下において電力消費が過剰となってしまう。また、無線通信端末間で音声信号を授受している場合には、電源の消し忘れにより不要な音声信号まで出力されてしまい、他の端末で当該音声信号を受信した受信者を不快にさせる等の現象が生じていた。
【０００６】
本発明は、上記課題を解消するために提案されたものであり、その目的は、第三者により端末の監視制御を可能とすることにより、過剰な電力消費及び不要な音声出力の防止可能な無線通信監視制御システムを提供することにある。
【課題を解決するための手段】
【０００７】
前記の目的を達成するために、請求項１の発明は、信号の授受を行う自無線通信端末と他無線通信端末とを含む通信系を有する無線通信監視制御システムであって、前記自無線通信端末は、マイクを通じて音声信号を入力する入力手段と、前記自無線通信端末の駆動態様を制御する駆動制御手段と、を備え、前記他無線通信端末は、前記入力手段を通じて入力された前記音声信号が前記自無線通信端末から送信されると、当該音声信号の信号強度及び継続時間の多寡により当該自無線通信端末の電源の消し忘れを判定する電源監視判定手段と、前記電源監視判定手段により前記自無線通信端末において電源の消し忘れが発生していると判定される場合に、当該電源の消し忘れを示す制御信号を前記自無線通信端末に送信する送信手段と、を備え、前記駆動制御手段は、前記送信手段により送信された前記電源の消し忘れを示す制御信号を前記自無線通信端末側で受信すると、前記自無線通信端末の電源を停止することを特徴とする。
【０００８】
請求項５の発明は、請求項１の発明を方法の観点から捉えたものであり、信号の授受を行う自無線通信端末と他無線通信端末とを含む通信系を有する無線通信監視制御方法であって、前記自無線通信端末は、前記自無線通信端末の駆動態様を制御する駆動制御ステップを実行し、前記他無線通信端末は、前記自無線通信端末にマイクを通じて音声信号が入力され、前記音声信号が前記自無線通信端末から送信されると、当該音声信号の信号強度及び継続時間の多寡により当該自無線通信端末の電源の消し忘れを判定する電源監視判定ステップと、前記電源監視判定ステップにより前記自無線通信端末において電源の消し忘れが発生していると判定される場合に、当該電源の消し忘れを示す制御信号を前記自無線通信端末に送信する送信ステップと、を実行し、前記駆動制御ステップは、前記送信ステップにより送信された前記電源の消し忘れを示す制御信号を前記自無線通信端末側で受信すると、前記自無線通信端末の電源を停止することを特徴とする。
【０００９】
以上のような態様では、音声信号の送信先の無線通信端末において電源監視判定処理を行うことにより、当該電源監視判定処理を通じて送信元の無線通信端末が電源の消し忘れが発生していると判定された場合に、この送信元の無線通信端末の停止する。これにより、音声信号が入力された無線通信端末の電源監視を、その他の端末を通じて行うことができるので、適切な電源制御が可能となり、過剰な電力消費や不要な音声信号の出力を防止することができる。
【００１０】
なお、本発明において、自無線通信端末とは、音声信号の送信元の無線通信端末を指し、他無線通信端末とは、音声信号の送信先の無線通信端末を指すものとする。
【００１１】
請求項２の発明は、信号の授受を行う自無線通信端末と他無線通信端末とを含む通信系を有する無線通信監視制御システムであって、前記自無線通信端末は、マイクを通じて音声信号を入力する入力手段と、前記自無線通信端末の駆動態様を制御する駆動制御手段と、前記入力手段を通じて入力された前記音声信号の信号強度及び継続時間の多寡により前記自無線通信端末の電源の消し忘れを判定する電源監視判定手段と、前記電源監視判定手段により前記自無線通信端末の電源の消し忘れを判定された場合に、当該電源消し忘れ発生時の信号強度や継続時間を含む状態信号を生成する状態信号生成手段と、前記状態信号生成手段により生成された前記状態信号を前記他無線通信端末に送信する状態信号送信手段と、を備え、前記他無線通信端末は、前記状態信号送信手段により送信された前記状態信号を受信すると、前記状態信号から前記自無線通信端末の電源停止の制御が必要であるかの選択をユーザから受け付けるユーザ選択手段と、前記ユーザ選択手段を介してユーザにより前記自無線通信端末の電源停止の制御が必要であると選択された場合に、前記自無線通信端末の電源停止を示す制御信号を前記自無線通信端末に送信する送信手段と、を備え、前記駆動制御手段は、前記送信手段により送信された前記電源停止を示す制御信号を前記自無線通信端末側で受信すると、前記自無線通信端末の電源を停止することを特徴とする。
【００１２】
請求項６の発明は、請求項２の発明を方法の観点から捉えたものであり、信号の授受を行う自無線通信端末と他無線通信端末とを含む通信系を有する無線通信監視制御方法であって、前記自無線通信端末は、前記自無線通信端末の駆動態様を制御する駆動制御ステップと、前記自無線通信端末にマイクを通じて音声信号が入力されと、当該音声信号の信号強度及び継続時間の多寡により前記自無線通信端末の電源の消し忘れを判定する電源監視判定ステップと、前記電源監視判定ステップにより前記自無線通信端末の電源の消し忘れを判定された場合に、当該電源消し忘れ発生時の信号強度や継続時間を含む状態信号を生成する状態信号生成ステップと、前記状態信号生成ステップにより生成された前記状態信号を前記他無線通信端末に送信する状態信号送信ステップと、を実行し、前記他無線通信端末は、前記状態信号送信ステップにより送信された前記状態信号を受信すると、前記状態信号から前記自無線通信端末の電源停止の制御が必要であるかの選択をユーザから受け付け、ユーザにより前記自無線通信端末の電源停止の制御が必要であると選択された場合に、前記自無線通信端末の電源停止を示す制御信号を前記自無線通信端末に送信する送信ステップを実行し、前記駆動制御手段は、前記送信手段により送信された前記電源停止を示す制御信号を前記自無線通信端末側で受信すると、前記自無線通信端末の電源を停止することを特徴とする。
【００１３】
以上のような態様では、音声信号の送信元の無線通信端末により電源監視判定処理を行うが、その際に生成された状態信号により当該音声信号の送信先の無線通信端末において、ユーザが送信元の無線通信端末の制御に対して指令を下すことができる。これにより、音声信号が入力された無線通信端末の電源監視を、その他の端末を通じて第三者が行うことができるので、適切な電源制御が可能となり、過剰な電力消費や不要な音声信号の出力を防止することができる。
【００１４】
請求項３の発明は、請求項１又は２に記載の無線通信監視制御システムにおいて、前記電源監視判定手段は、前記音声信号の信号強度が所定の強度閾値以内であり、かつ、前記音声信号の継続時間が所定の時間閾値以上である場合に、前記自無線通信端末において電源の消し忘れが発生していると判定することを特徴とする。
【００１５】
請求項７の発明は、請求項３の発明を方法の観点から捉えたものであり、請求項５又は６に記載の無線通信監視制御方法において、前記電源監視判定ステップは、前記音声信号の信号強度が所定の強度閾値以内であり、かつ、前記音声信号の継続時間が所定の時間閾値以上である場合に、前記自無線通信端末において電源の消し忘れが発生していると判定することを特徴とする。
【００１６】
以上のような態様では、音声信号の強度である音声レベルが所定の閾値以内である場合に、当該音声レベルを有する音声信号の継続時間が所定時間以上である条件を満たすときに、電源監視判定手段は、自無線通信端末の電源が消し忘れていると判定する。これにより、音声レベルと継続時間の観点から双方の所定条件を具備する必要があるため、より精度の高い電源監視処理を可能とし、適切に電源停止制御を実行することが可能となる。
【００１７】
請求項４の発明は、請求項１〜３のいずれか１項に記載に無線通信監視制御システムにおいて、前記自無線通信端末は、表示部と、前記送信手段により送信された前記制御信号を前記自無線通信端末側で受信した場合に、警告データを前記表示部に表示する警告データ表示手段と、を備えることを特徴とする。
【００１８】
請求項８の発明は、請求項４の発明を方法の観点から捉えたものであり、請求項５〜７のいずれか１項に記載の無線通信監視制御方法において、前記自無線通信端末は、表示部を備え、前記送信ステップにより送信された前記制御信号を前記自無線通信端末側で受信した場合に、警告データを前記表示部に表示する警告データ表示ステップを実行することを特徴とする。
【００１９】
以上のような態様では、無線通信端末において電源停止制御を行うだけでなく、当該端末の所有者に対して、電源の消し忘れを示す警告情報を提示することができるので、注意を喚起させることが可能となる。
【発明の効果】
【００２０】
以上のように本発明によれば、ユーザが電源等を消し忘れた無線通信端末であっても他の無線通信端末を通じて監視することができるので、適切に電源等を制御することが可能となり、過剰な電力消費や不要な音声信号の出力を防止可能な無線通信監視制御システムを提供することができる。
【発明を実施するための最良の形態】
【００２１】
［１．第１の実施形態］
次に、本発明に係る第１の実施形態について、図１及び２を参照して以下に詳述する。なお、第１の実施形態では、無線通信機器Ａからの音声信号の出力に基づいて、当該信号を受信した無線通信機器Ｂが無線通信機器Ａの電源監視判定を実行している。また、図１は、本発明に係る無線通信機器の監視及び制御システムの構成を示すブロック図であり、図２は、当該構成に基づく音声信号判定処理を示すフローチャートである。
【００２２】
［１．１．構成］
まず、図１の通り、通信端末として互いに通信信号授受する無線通信機器Ａ及びＢを例にとり、本システムにおける構成を説明する。
【００２３】
（１）無線通信機器Ａの構成
無線通信機器Ａは、基本的な構成として、外部との信号の送受信を行う信号送受信部１１と、無線通信機器Ａの駆動システム全体を制御する制御部１２と、ユーザに対する警告情報等の通知データを表示する表示部１３と、を備えている。なお、この無線通信機器Ａには、音声入力端子として例えばマイクが配設されており、このマイクを介してアナログ音声信号が入力可能な構成となっている。
【００２４】
この信号送受信部１１は、アンテナを介して無線通信機器Ｂからの音声信号を受信し、さらにこちら側から当該通信機器Ｂをはじめ外部に音声信号を出力する。なお、無線通信機器Ａから外部へ音声信号を送信する場合とは、前記マイクを通じて入力された音声信号に変調や増幅処理を課し（変調器や増幅器等は図示しない）、アンテナを介して当該信号を外部へ送信することを意味している。また、音声信号のほか、無線通信機器Ａの駆動制御を司る制御信号の送受信も行う通信部としての機能を有している。
【００２５】
制御部１２は、無線通信機器Ａの駆動態様、すなわち起動及び停止等を制御する駆動制御部１２ａを有している。なお、第１の実施形態では、無線通信機器Ｂにより電源の消し忘れ等を検出する無線通信機器Ａの電源監視判定処理が行われているので、当該通信機器Ｂから出力された制御信号に基づいて、この駆動制御部１２ａが、無線通信機器Ａの駆動を停止したり、音声出力の調整を行っている。具体的な駆動制御部１２ａによる処理は後述する。
【００２６】
また、制御部１２は、無線通信機器Ｂからの制御信号に基づいてユーザに対し表示部１３を介して通知する警告データを生成する警告データ生成部１２ｂを備えている。例えば、無線通信機器Ｂにおける電源監視判定処理により、無線通信機器Ａの電源の消し忘れ等を示す制御信号が無線通信機器Ａ側に送信された場合に、信号送受信部１１を介して当該制御信号を受信すると、この警告データ生成部１２ｂが表示部１３に出力する警告データを生成し、当該表示部を介して表示する。
【００２７】
なお、この制御部１２には、ユーザが任意に制御部１２による制御の解除を実行する制御解除部１２ｃが接続されている。この制御解除部１２ｃを介して当該制御部１２による制御を解除することにより、無線通信機器Ｂからの制御信号に応じた駆動制御部１２ａによるシステムの駆動制御及び警告データ生成部１２ｂによる警告データ生成処理が停止される。
【００２８】
（２）無線通信機器Ｂの構成
次に、図１の通り、無線通信機器Ａからの音声信号を受信し、当該音声信号に基づいて当該通信機器Ａの電源監視判定処理を行う無線通信機器Ｂの構成を以下に説明する。
【００２９】
無線通信機器Ｂは、基本構成として、信号を送受信する通信機能を備えた信号送受信部２１と、電源監視判定処理や当該通信機器Ｂの駆動制御を実行する制御部２２と、ユーザへの通知データを表示する表示部２３を備えている。なお、無線通信機器Ｂは、無線通信機器Ａと同様に、音声信号を入力する入力端子としてマイクが配設されている。
【００３０】
信号送受信部２１は、無線通信機器Ａに設けた信号送受信部１１と同様の機能を有するものであり、アンテナを介して無線通信機器Ａからの音声信号を受信し、さらにこちら側から当該通信機器Ａをはじめ外部に音声信号を出力する。また、音声信号のほか、後述する電源監視判定処理に基づく制御信号の送受信も行う通信部としての機能を有している。
【００３１】
制御部２２は、無線通信機器Ａから信号送受信部２１を介して受信した音声信号に基づいて、当該通信機器Ａの電源の消し忘れを判定する電源監視判定処理機能を備えている。この電源監視判定処理機能は、受信した音声信号の音声レベルが所定の閾値以内であるかを判定する音声レベル判定部２２ａと、当該音声レベル判定部２２ａにより所定の閾値以内にあると判定された音声信号が所定の時間出力されているか否かを判定する出力時間判定部２２ｂと、により実現される。
【００３２】
具体的には、この音声レベル判定部２２ａにより受信した音声信号の強度を示す信号レベルが所定の閾値以内であると判定されると、音声レベルに関しては、通常動作時における音声信号レベルよりも低く、電源の消し忘れによる出力状態を示すレベルにあると判断される。そして、出力時間判定部２２ｂにおいて、音声レベル判定部２２ａを通じて音声レベルが所定の閾値以内と判定された音声信号に関して、無線通信機器Ａから所定の時間閾値以上出力されているか否かが判断され、閾値以上であった場合に電源の消し忘れが発生していると判定される。
【００３３】
そして、上記のような電源監視判定処理により無線通信機器Ａの電源消し忘れが判定されると、制御部２２は、電源の消し忘れを示す制御信号を無線通信機器Ａに対して出力する。
【００３４】
なお、音声レベル判定部２２ａと出力時間判定部２２ｂのうち、少なくとも一方において上記条件を満たさなかった場合、すなわち、音声レベルが所定の閾値を上回る場合か、音声信号が所定時間以上出力されてない場合のいずれかに該当する場合には、無線通信機器Ａにおける電源の消し忘れは生じておらず、制御部２２は、通常の音声信号入力であると判断する。
【００３５】
また、制御部２２には、無線通信機器Ａと同様に、ユーザが任意に制御部２２による制御の解除を実行する制御解除部２４が接続されている。この制御解除部２４により制御部２２による制御を解除すると、上記音声レベル判定部２２ａ及び出力時間判定部２２ｂによる判定処理は停止し、無線通信機器Ｂでは無線通信機器Ａの電源監視判定処理は行われない。
【００３６】
［１．２．作用効果］
次に、第１の実施形態に係る上記構成に基づいた無線通信監視制御システムにおける電源監視判定処理手順を、図２のフローチャートを参照して以下に説明する。なお、上述した通り、第１の実施形態では、無線通信機器Ｂにおいて無線通信機器Ａの電源消し忘れを判定している。
【００３７】
まず、無線通信機器Ａにおいて、マイクを通して音声信号が入力される（ＳＴＥＰ２０１）。なお、電源消し忘れ時では、マイクから通常より音声レベルの低い音声信号が入力されている可能性が高い。そして、変調器や増幅器等（図示しない）を介して変調、増幅された音声信号を、信号送受信部１１を通じて無線通信機器Ｂに対し出力する（ＳＴＥＰ２０２）。
【００３８】
そして、無線通信機器Ａの信号送受信部１１を介して送信された音声信号は、無線通信機器Ｂの信号送受信部２１により受信される（ＳＴＥＰ２０３）。無線通信機器Ｂ側で受信した音声信号は、制御部２２の音声レベル判定部２２ａにより音声レベルが検知され、当該音声レベルが所定の閾値以内であるかが判定される（ＳＴＥＰ２０４）。
【００３９】
音声レベル判定部２２ａにより受信した音声信号の音声レベルが所定の閾値以内であると判定される場合には（ＹＥＳ）、出力時間判定部２２ｂは、当該音声信号が無線通信機器Ａから出力される時間を計測し、計測された時間が所定の時間閾値以上であるかを判定する（ＳＴＥＰ２０５）。
【００４０】
出力時間判定部２２ｂにより、所定の閾値以内の音声レベルを有する音声信号の出力時間が所定の時間閾値以上であると判定される場合には（ＹＥＳ）、制御部２２は、無線通信機器Ａにおいて電源の消し忘れが発生していると判断し、電源の消し忘れを示す制御信号を無線通信機器Ａに対して出力する（ＳＴＥＰ２０６）。
【００４１】
一方、ＳＴＥＰ２０４において、音声レベル判定部２２ａが受信した音声信号の音声レベルが所定の閾値を上回ると判定した場合には（ＮＯ）、無線通信機器Ａの電源の消し忘れはなく、通常の音声信号入力であると判断される（ＳＴＥＰ２０７）。また、ＳＴＥＰ２０５において、出力時間判定部２２ｂが所定の閾値以内の音声レベルを有する音声信号の出力時間が所定の時間閾値を下回ると判定した場合には（ＮＯ）、上記同様、無線通信機器Ａの電源の消し忘れはなく、通常の音声信号入力であると判断される（ＳＴＥＰ２０７）。
【００４２】
なお、上記のように、音声レベル判定部２２ａにより音声レベルが所定の閾値を上回ると判定された場合（ＮＯ）や、出力時間判定部２２ｂにより所定の閾値以内の音声レベルを有する音声信号の出力時間が所定の時間閾値を下回ると判定された場合（ＮＯ）には、表示部２３を介して、この計測した音声レベルや出力時間等の状態データが表示部に表示される（ＳＴＥＰ２０８）。また、制御部２２により無線通信機器Ａにおいて電源の消し忘れが発生していると判定され、当該電源の消し忘れを示す制御信号が無線通信機器Ｂに対して出力された場合も（ＳＴＥＰ２０６のＹＥＳ）、計測した音声レベルや出力時間等の状態データが表示部２３に表示される（ＳＴＥＰ２０８）。
【００４３】
ＳＴＥＰ２０６において出力した電源消し忘れを示す制御信号は、無線通信機器Ａの信号送受信部１１を介して無線通信機器Ａ側で受信される（ＳＴＥＰ２０９）。そして、受信した当該信号に基づいて、制御部１２内の警告データ生成部１２ｂは、ユーザに対し電源の消し忘れを通知するための警告データを生成し、表示部１３を通じてそれを表示する（ＳＴＥＰ２１０）。
【００４４】
警告データ生成部１２ｂにより生成された警告データが表示がされると、無線通信機器Ｂから受信した制御信号に基づき、駆動制御部１２ａが無線通信機器Ａの駆動システムを停止する（ＳＴＥＰ２１１）。すなわち、無線通信機器Ａの電源をＯＦＦにすることで停止状態を実現する。あるいは、この駆動制御部１２ａは、制御信号を受け取ることにより、無線通信機器Ａを完全に停止させなくても無線通信機器Ｂに対して送信する音声信号の出力を低下させるよう制御する。
【００４５】
なお、図２のフローチャートには記載しないが、ユーザは、任意に無線通信機器Ａ及びＢによる制御の解除を制御解除部１４、２４を通じて実行することができる。具体的には、制御解除部１４を通じて制御解除が行われると、無線通信機器Ａ側で受信した制御信号に基づいて動作する警告データ生成部１２ｂ及び駆動制御部１２ａによる制御が停止する。また、無線通信機器Ｂの制御解除部２４を通じて制御解除が行われると、制御部２２において、音声レベル判定部２２ａ及び出力時間判定部２２ｂによる判定処理は停止し、電源監視判定処理は行われない。
【００４６】
以上のような本実施形態によれば、ユーザが電源を消し忘れた無線通信端末であっても音声信号の送信先の無線通信端末を通じて監視することができるので、適切に送信元の無線通信端末の電源を制御することが可能となり、過剰な電力消費や不要な音声信号の出力を防止可能な無線通信監視制御システムを提供することができる。
【００４７】
［２．第２の実施形態］
次に、本発明に係る第２の実施形態についての無線通信監視制御システムの構成及び作用を図３及び４を参照して以下に説明する。
【００４８】
なお、第２の実施形態は、無線通信機器Ａで入力された音声信号に基づき、当該通信機器Ａ側で電源監視判定処理を行い、その状態信号を無線通信機器Ｂに送信することで第三者に伝達し、無線通信機器Ｂ側から無線通信機器Ａの駆動を制御するための制御信号を出力するものである。また、図３は、第２の実施形態に係る無線通信監視制御システムの構成を示すブロック図であり、図４は、当該構成に基づく電源監視判定処理を示すフローチャートである。
【００４９】
［２．１．構成］
まず、図３の通り、無線通信端末として互いに通信する無線通信機器Ａ及びＢを例にとり、本システムにおける構成を説明する。
【００５０】
（１）無線通信機器Ａの構成
無線通信機器Ａは、基本的な構成として、第１の実施形態と同じように、外部との信号の送受信を行う信号送受信部３１と、無線通信機器Ａの駆動システム全体を制御する制御部３２と、ユーザに対する警告情報等の通知データを表示する表示部３３と、を備えている。なお、この無線通信機器Ａには、音声入力端子として例えばマイクが配設されており、このマイクを介してアナログ音声信号が入力可能な構成となっている。
【００５１】
ここで、信号送受信部３１は、第１の実施形態と同様に、アンテナを介して無線通信機器Ｂからの音声信号や制御信号の送受信を行う通信部としての役割を担うものであるが、本実施形態では、後述する電源監視判定処理に基づく音声信号の状態を示す状態信号の送受信も行っている。
【００５２】
制御部３２は、電源監視判定処理を実現する音声レベル判定部３２ａ及び入力時間判定部３２ｂを備えている。なお、この音声レベル判定部３２ａは、第１の実施形態において無線通信機器Ｂに内蔵されたものと同じ構成を有しているため説明は省略する。
【００５３】
入力時間判定部３２ｂは、無線通信機器Ａに内蔵されたマイク等の入力端子から入力信号が入力され続ける時間を検知し、この時間が所定の時間閾値以上であるかを判定する。すなわち、第１の実施形態では、無線通信機器Ｂにおいて受信した音声信号の無線通信機器Ａからの出力時間を計測し、所定の時間閾値以上であるかを判定していたのに対し、本実施形態では、無線通信機器Ａ自身により音声信号の入力時間が所定の時間閾値以上であるかを判定している。
【００５４】
ここで、制御部３２は、音声レベル判定部３２ａにより計測した音声レベルが所定の閾値以内であり、かつ、入力時間判定部３２ｂにより当該音声レベルを有する音声信号の入力時間が所定の時間閾値以上であった場合に、無線通信機器Ａにおいて電源消し忘れが発生していると判定している。
【００５５】
また、制御部３２は、音声レベル判定部３２ａ及び入力時間判定部３２ｂによる電源監視判定処理により、無線通信機器Ａにおいて電源消し忘れが発生していると判定する場合に、電源消し忘れが発生していることを示す上記音声レベルや入力時間を含む状態信号を生成する状態信号生成部３２ｃを備えている。この状態信号生成部３２ｃで生成された状態信号が信号送受信部３１を介して無線通信機器Ｂ側に送信されることになる。
【００５６】
なお、制御部３２は、第１の実施形態と同様に、無線通信機器Ａの駆動態様、すなわち当該機器Ａの起動及び停止等を制御する駆動制御部３２ｄを備えている。この駆動制御部３２ｄは、後述するが、送信された上記状態信号をもとに無線通信機器Ｂ側でユーザが選択した制御信号に基づいて、無線通信機器Ａの駆動を停止したり、音声出力の調整を行っている。
【００５７】
また、制御部３２は、第１の実施形態と同様に、無線通信機器Ｂからの制御信号に基づいてユーザに対し表示部３３を介して通知する警告データを生成する警告データ生成部３２ｅを備えている。
【００５８】
そして、この制御部３２には、ユーザが任意に制御部３２による制御の解除を実行する制御解除部３４が接続されている。この制御解除部３４を介して当該制御部３２による制御を解除することにより、電源監視判定処理や無線通信機器Ｂからの制御信号に応じた駆動制御部３２ｄによるシステムの駆動制御及び警告データ生成部３２ｅによる警告データ生成処理が停止される。また、この解除により状態信号生成部３２ｃによる状態信号の生成処理も停止する。
【００５９】
（２）無線通信機器Ｂの構成
次に、図３の通り、無線通信機器Ａからの状態信号を受信し、当該状態信号に基づいて無線通信機器Ａの駆動態様を制御する制御信号を生成し、それを無線通信機器Ａ側に出力する無線通信機器Ｂの構成を以下に説明する。
【００６０】
無線通信機器Ｂは、基本構成として、信号を送受信する通信機能を備えた信号送受信部４１と、当該通信機器Ｂの駆動を制御したり、無線通信機器Ａ用の制御信号を生成する制御部４２と、ユーザへの通知データを表示する表示部４３と、を備えている。
【００６１】
信号送受信部４１は、無線通信機器Ａに設けた信号送受信部３１と同様の機能を有するものであるが、本実施形態では主に無線通信機器Ａにて生成された状態信号を受信し、また後述する無線通信機器Ｂで生成した制御信号を無線通信機器Ａ側に送信している。
【００６２】
制御部４２は、無線通信機器Ａから信号送受信部４１を介して受信した状態信号に基づいて、無線通信機器Ａの電源をＯＦＦとする制御が必要であるかの選択をユーザから受け付けるユーザ選択部４４を備えている。この選択部４４を介して、ユーザが無線通信機器Ａの電源停止の制御が必要と選択した場合には、電源停止を示す制御信号が信号送受信部４１を通じて無線通信機器Ａに送信される。なお、電源停止の代わりに、音声出力の低下を促す制御をユーザが選択することも可能であり、この場合には、音声出力の低下を示す制御信号が信号送受信部４１を介して無線通信機器Ａに送信される。また、制御部４２は、ユーザによる制御の選択処理だけでなく、無線通信機器Ｂの駆動制御等も行う機能を有している。
【００６３】
一方で、この制御部４２のユーザ選択部４４において、ユーザが無線通信機器Ａの電源停止の制御が必要ないと選択した場合には、当該制御部４２による制御を解除することにより、無線通信機器Ａへの制御信号の送信処理が停止され、当該通信機器Ａでは無線通信機器Ｂからの指示による制御を行わないよう設定することができる。
【００６４】
［２．２．作用効果］
次に、上記第２の実施形態に係る構成に基づいて、無線通信機器Ａの電源監視判定処理を図４のフローチャートを参照して以下に説明する。なお、上述した通り、第２の実施形態では、無線通信機器Ａ自身において電源監視判定処理を行っている。
【００６５】
まず、無線通信機器Ａにおいて、マイクを通して音声信号が入力される（ＳＴＥＰ４０１）。なお、電源消し忘れ時では、マイクから通常より音声レベルの低い音声信号が入力されている可能性が高い。
【００６６】
そして、当該通信機器Ａに内蔵された制御部３２の音声レベル判定部３２ａは、無線通信機器Ａにおいて入力された音声信号の音声レベルを検知し、検知した音声レベルが所定の閾値以内であるかを判定する（ＳＴＥＰ４０２）。音声レベル判定部３２ａにより入力された音声信号の音声レベルが所定の閾値以内であると判定される場合には（ＹＥＳ）、入力出力時間判定部３２ｂは、当該音声信号が無線通信機器Ａに入力された時間を計測し、計測された時間が所定の時間閾値以上であるかを判定する（ＳＴＥＰ４０３）。
【００６７】
入力時間判定部３２ｂにより、所定の閾値以内の音声レベルを有する音声信号の入力時間が所定の時間閾値以上であると判定される場合には（ＹＥＳ）、制御部３２は、無線通信機器Ａにおいて電源の消し忘れが発生していると判断し、状態信号生成部３２ｃが当該電源の消し忘れを示す音声レベルや入力時間を含む状態信号を生成する（ＳＴＥＰ４０４）。そして、状態信号生成部３２ｃで生成された状態信号は、信号送受信部３１を介して無線通信機器Ｂ側に出力される（ＳＴＥＰ４０５）。
【００６８】
一方、ＳＴＥＰ４０２において、音声レベル判定部３２ａが、音声レベルが所定の閾値を上回ると判定した場合には（ＮＯ）、無線通信機器Ａの電源の消し忘れはなく、再度、マイクからの入力を検知することで音声レベル判定が繰り返される。また、ＳＴＥＰ４０３において、入力時間判定部３２ｂが、音声信号の入力時間が所定の時間閾値を下回ると判定した場合には（ＮＯ）、上記同様、無線通信機器Ａの電源の消し忘れはなく、マイクからの入力を再度検知することで音声信号の入力時間判定が繰り返される。
【００６９】
ＳＴＥＰ４０５において無線通信機器Ｂ側に出力された状態信号は、当該通信機器Ｂの信号送受信部４１を介して受信され（ＳＴＥＰ４０６）、当該状態信号情報が表示部４３を通じて表示される（ＳＴＥＰ４０７）。これにより、無線通信機器Ｂの所有者は、通信機器Ａの状況を確認することが可能となる。
【００７０】
そして、この受信した状態信号をもとに、制御部４２のユーザ選択部４４において、ユーザから無線通信機器Ａの電源をＯＦＦとする制御や音声出力を低下させる制御の選択を受け付ける（ＳＴＥＰ４０８）。ユーザが、ユーザ選択部４４を介し、無線通信機器Ａの電源停止等の制御が必要であると判断し、このような制御を選択した場合には（ＹＥＳ）、制御部４３は、無線通信機器Ａへの電源停止（あるいは音声信号の出力低下）を示す制御信号信号送受信部４１を介して当該制御信号を無線通信機器Ａへ送信する（ＳＴＥＰ４０９）。
【００７１】
一方、ＳＴＥＰ４０８において、ユーザ選択部４４が、無線通信機器Ａの電源停止等の制御が不要であると選択を受け付けた場合は（ＮＯ）、制御部４２による状態信号をもとにした電源の停止等を示す制御信号が無線通信機器Ａに送信されることはなく、無線通信機器Ｂ側では無線通信機器Ａの電源監視に関与しない（ＳＴＥＰ４１０）。
【００７２】
ＳＴＥＰ４０９において、制御信号が無線通信機器Ａに送信されると、当該無線通信機器Ａは、無線通信機器Ｂから送信された制御信号を信号送受信部３１を介して受信する（ＳＴＥＰ４１１）。そして、受信した制御信号に基づいて制御部３２内の警告データ生成部３２ｅが、ユーザに対し電源の消し忘れを通知するための警告データを生成し、表示部３３を通じてそれを表示する（ＳＴＥＰ４１２）。
【００７３】
警告データ生成部３２ｅにより生成された警告データが表示がされると、無線通信機器Ｂから受信した制御信号に基づき、駆動制御部３２ｄが無線通信機器Ａの駆動システムを停止する（ＳＴＥＰ４１３）。すなわち、無線通信機器Ａの電源をＯＦＦとすることで当該通信機器Ａの停止状態を実現し、電源消し忘れ状態が解消される。あるいは、駆動制御部３２ｄは、受信した制御信号に基づいて、無線通信機器Ａを完全に停止させなくても無線通信機器Ｂに対して送信する音声信号の出力を低下させるよう制御する。
【００７４】
駆動制御部３２ｄにより無線通信機器Ａの停止制御が行われると、その際の状態信号が状態信号生成部３２ｃを通じて生成され（ＳＴＥＰ４１４）、信号送受信部３１を介して無線通信機器Ｂ側へ送信される（ＳＴＥＰ４１５）。そして、送信された状態信号は再度通信機器Ｂ側で受信され、電源停止等の制御の実行に関して、制御部４２のユーザ選択部４４を解してユーザによる判断を行い続けることが可能となる。
【００７５】
以上のような本実施形態によれば、ユーザが電源を消し忘れた無線通信端末であっても音声信号の送信先の無線通信端末を通じてユーザが監視することができるので、音声信号の音声レベルや入力時間等の状態信号に基づいて、ユーザの選択により適切に送信元の無線通信端末の電源を制御することが可能となり、過剰な電力消費や不要な音声信号の出力を防止可能な無線通信監視制御システムを提供することができる。
【００７６】
［３．他の実施形態］
なお、本発明は、上記第１及び２の実施形態における無線通信機器Ａ、Ｂに内蔵する制御部の構成に限定するものではなく、各制御部に必須構成要素として電源監視判定処理機能や警告データ生成処理機能などを備える実施形態も包含する。すなわち、上記第１及び２の実施形態では、無線通信機器Ａ、Ｂのいずれかに電源監視判定処理機能か警告データ生成処理機能が備えれられているが、当該通信機器Ａ、Ｂ双方にこのような機能が内蔵される制御部の構成も本発明は包含している。
【００７７】
また、本発明は、警告データ生成部により生成された警告データを表示部に表示する上記実施形態に限定するものではなく、スピーカー等の出力端子を設け、電源消し忘れの発生を音声により通知する実施形態も包含する。例えば、警告情報表示によるものではなく、ブザー等により無線通信機器の所有者に当該機器の電源の消し忘れを通知する実施形態である。
【００７８】
また、本発明は、上記第２の実施形態において状態信号生成部３２ｃにより状態信号を生成し、無線通信機器Ｂ側に出力しているが、この態様に限定するものではなく、当該通信機器Ｂへ状態信号を生成せずに無線通信機器Ａ自身によりシステム駆動等を制御する実施形態も包含する。具体的には、電源監視判定処理により無線通信機器Ａにおいて電源の消し忘れが発生していると判定されると、状態信号生成部３２ｃにより状態信号を生成することなく、この無線通信機器Ａ自身において電源の停止や、警告データ表示などの制御が行われる実施形態を本発明は包含している。
【図面の簡単な説明】
【００７９】
【図１】本発明の第１の実施形態に係る無線通信監視制御システムの構成を示すブロック図。
【図２】本発明の第１の実施形態に係る無線通信監視制御システムの電源監視判定処理を示すフローチャート。
【図３】本発明の第２の実施形態に係る無線通信監視制御システムの構成を示すブロック図。
【図４】本発明の第２の実施形態に係る無線通信監視制御システムの電源監視判定処理を示すフローチャート。
【符号の説明】
【００８０】
１１・・・信号送受信部（第１の実施形態の無線通信機器Ａ）
１２・・・制御部（第１の実施形態の無線通信機器Ａ）
１２ａ・・・駆動制御部
１２ｂ・・・警告データ生成部
１３・・・表示部（第１の実施形態の無線通信機器Ａ）
１４・・・制御解除部（第１の実施形態の無線通信機器Ａ）
２１・・・信号送受信部（第１の実施形態の無線通信機器Ｂ）
２２・・・制御部（第１の実施形態の無線通信機器Ｂ）
２２ａ・・・音声レベル判定部
２２ｂ・・・出力時間判定部
２３・・・表示部（第１の実施形態の無線通信機器Ｂ）
２４・・・制御解除部（第１の実施形態の無線通信機器Ｂ）
３１・・・信号送受信部（第２の実施形態の無線通信機器Ａ）
３２・・・制御部（第２の実施形態の無線通信機器Ａ）
３２ａ・・・音声レベル判定部
３２ｂ・・・入力時間判定部
３２ｃ・・・状態信号生成部
３２ｄ・・・駆動制御部
３２ｅ・・・警告データ生成部
３３・・・表示部（第２の実施形態の無線通信機器Ａ）
３４・・・制御解除部（第２の実施形態の無線通信機器Ａ）
４１・・・信号送受信部（第２の実施形態の無線通信機器Ｂ）
４２・・・制御部（第２の実施形態の無線通信機器Ｂ）
４３・・・表示部（第２の実施形態の無線通信機器Ｂ）
４４・・・ユーザ選択部（第２の実施形態の無線通信機器Ｂ）
【図１】
2009049814.tif 000003
【図２】
2009049814.tif 000004
【図３】
2009049814.tif 000005
【図４】
2009049814.tif 000006